(57)【要約】【課題】  コンビニエンスストアやスーパーマーケット等の小売店で、記憶部材が付随されたプライスカードを安価に導入できるようにする。【解決手段】  小売店の商品陳列棚で、商品の名称や価格を顧客に提示するプライスカードとして、表面の印字を繰り返し書き換えることが可能なリライタブルカードを利用する。サービス用コンピュータ１１２は、プライスカード発注情報をデータベース１１１に登録するとともに、プライスカード発行機１１３に出力し、プライスカードを発行し、小売店に納品する。小売店においてＲＦＩＤに記憶された情報を読み取り、読み取った情報とデータベース１１１に登録された情報とをサービス用コンピュータ１１２が照合して、検品処理を行う。【選択図】  図１
2006178524.tif 000002
【特許請求の範囲】
【請求項１】
個々の商品を特定する商品特定情報を記憶可能な記憶部材が付随され商品に関する情報を表示するプライスカードを受注してプライスカードを発行するプライスカード受注装置であって、
プライスカードを発注するプライスカード発注装置から、通信ネットワークを介して、プライスカードに表示する商品に関する情報および商品特定情報を受信する情報受信手段と、
個々のプライスカードを識別するＩＤ情報をプライスカード毎に割り当てるＩＤ割り当て手段と、
プライスカードに付随された記憶部材に前記商品特定情報および前記ＩＤ情報を記憶させ、プライスカードに前記商品に関する情報を印字することによりプライスカードを発行するプライスカード発行手段とを備えた
ことを特徴とするプライスカード受注装置。
【請求項２】
情報受信手段が受信した商品に関する情報および商品特定情報と、ＩＤ割り当て手段によって割り当てられたＩＤ情報とを記憶する記憶手段と、
納品したプライスカードに付随された記憶部材に記憶させたＩＤ情報および商品特定情報を、通信ネットワークを介してプライスカード発注装置から受信する納品済みプライスカード情報受信手段と、
前記納品済みプライスカード情報受信手段が受信したＩＤ情報および商品特定情報と、前記記憶手段が記憶するＩＤ情報および商品特定情報とを照合することにより、納品したプライスカードに不良品があるか否かを判定する検品手段とを備えた
請求項１に記載のプライスカード受注装置。
【請求項３】
プライスカード発行手段は、検品手段によって、納品したプライスカードに不良品があると判定された場合に、記憶手段が記憶する商品に関する情報、商品特定情報、およびＩＤ情報を用いて再度プライスカードを発行する
請求項２に記載のプライスカード受注装置。
【請求項４】
情報受信手段が受信した商品に関する情報および商品特定情報と、ＩＤ割り当て手段によって割り当てられたＩＤ情報とを、通信ネットワークを介してプライスカード発注装置に送信するＩＤ情報送信手段を備えた
請求項１に記載のプライスカード受注装置。
【請求項５】
プライスカード発行手段は、プライスカードとして使用され、印字内容の書き換えを繰り返し可能なリライタブルシートに商品に関する情報を印字する
請求項１から請求項４のうちのいずれか１項に記載のプライスカード受注装置。
【請求項６】
プライスカード発行手段は、プライスカードに記憶部材として付随されたＲＦＩＤに商品特定情報およびＩＤ情報を記憶させる
請求項１から請求項５のうちのいずれか１項に記載のプライスカード受注装置。
【請求項７】
個々の商品を特定可能な商品特定情報を記憶可能な記憶部材が付随され商品に関する情報を表示するプライスカードを発注するプライスカード発注装置であって、
プライスカードを受注するプライスカード受注装置に、通信ネットワークを介して、プライスカードに表示する商品に関する情報および商品特定情報を送信する情報送信手段と、
納品されたプライスカードに付随された記憶部材から、個々のプライスカードを識別するＩＤ情報および商品特定情報を読み取る読み取り手段と、
前記読み取り手段によって読み取られたＩＤ情報および商品特定情報をプライスカード受注装置に送信する納品済みプライスカード情報送信手段とを備えた
ことを特徴とするプライスカード発注装置。
【請求項８】
個々の商品を特定する商品特定情報を記憶可能な記憶部材が付随され商品に関する情報を表示するプライスカードを受注してプライスカードを発行するプライスカード受注装置と、プライスカードを発注するプライスカード発注装置とを備えたプライスカード受発注システムであって、
前記プライスカード発注装置は、
前記プライスカード受注装置に、通信ネットワークを介して、プライスカードに表示する商品に関する情報および商品特定情報を送信する情報送信手段を含み、
前記プライスカード受注装置は、
前記商品に関する情報および前記商品特定情報を受信する情報受信手段と、
個々のプライスカードを識別するＩＤ情報をプライスカード毎に割り当てるＩＤ割り当て手段と、
プライスカードに付随された記憶部材に前記商品特定情報および前記ＩＤ情報を記憶させ、プライスカードに前記商品に関する情報を印字することによりプライスカードを発行するプライスカード発行手段とを含む
ことを特徴とするプライスカード受発注システム。
【請求項９】
個々の商品を特定する商品特定情報を記憶可能な記憶部材が付随され商品に関する情報を表示するプライスカードを受注してプライスカードを発行するプライスカード受注方法であって、
情報受信手段が、プライスカードを発注するプライスカード発注装置から、通信ネットワークを介して、プライスカードに表示する商品に関する情報および商品特定情報を受信し、
ＩＤ割り当て手段が、個々のプライスカードを識別するＩＤ情報をプライスカード毎に割り当て、
プライスカード発行手段が、プライスカードに付随された記憶部材に前記商品特定情報および前記ＩＤ情報を記憶させ、プライスカードに前記商品に関する情報を印字することによりプライスカードを発行する
ことを特徴とするプライスカード受注方法。
【請求項１０】
個々の商品を特定する商品特定情報を記憶可能な記憶部材が付随され商品に関する情報を表示するプライスカードを受注してプライスカードを発行するコンピュータに搭載されるプライスカード受注プログラムであって、
前記コンピュータに、
プライスカードを発注するプライスカード発注装置から、通信ネットワークを介して、プライスカードに表示する商品に関する情報および商品特定情報を受信する情報受信処理、
個々のプライスカードを識別するＩＤ情報をプライスカード毎に割り当てるＩＤ割り当て処理、および
プライスカードに付随された記憶部材に前記商品特定情報および前記ＩＤ情報を記憶させ、プライスカードに前記商品に関する情報を印字することによりプライスカードを発行するプライスカード発行処理
を実行させるためのプライスカード受注プログラム。
【発明の詳細な説明】
【技術分野】
【０００１】
本発明は、印刷業者が小売店にプライスカードを提供するためのプライスカード受注装置、印刷業者にプライスカードを発注するためのプライスカード発注装置、プライスカード受発注システム、プライスカード受注方法およびプライスカード受注プログラムに関する。
【背景技術】
【０００２】
店舗等において入荷し商品陳列棚に置いた商品の管理に関しては、古くはバーコードを、近年では、バーコードの代わりにＲＦＩＤ（Ｒａｄｉｏ  Ｆｒｅｑｕｅｎｃｙ  ＩＤｅｎｔｉｆｉｃａｔｉｏｎ）を用いて効率化が検討されている。バーコードを使用した商品管理では、商品に装着されたバーコードの情報をひとつひとつ手作業で、リーダを近づけて読み取る必要があったが、ＲＦＩＤを用いることによりリアルタイムに自動的に情報を読み取ることが可能になる。
【０００３】
従来の商品管理システムの一例が、特許文献１に記載されている。特許文献１に記載された商品管理システムは、複数の区画に保管された商品または陳列された商品を管理する。そして、商品に装着され商品に固有の識別コードを有するＲＦＩＤタグと、商品陳列棚等に固定されてＲＦＩＤと無線通信を行うアンテナとアンテナが受信した信号を読み取る読み取り機とからなる読み取りユニットと、商品情報を管理する情報管理手段と、ＲＦＩＤに各商品に個別の識別コードを書き込む登録機を備える。
【０００４】
特許文献１に記載された商品管理システムの動作を以下に説明する。まず、登録機がＲＦＩＤタグに商品の識別コードを書き込む。また、陳列棚（所定区画）に設置された読み取りユニットは、個別のアドレスを設定される。そして、情報管理手段の記憶部は、識別コードに対応する商品の種類や値段等の商品情報を記憶するとともに、読み取りユニットに付されたアドレスに対応する区画名を示す区画情報を記憶する。次いで、識別コードが書き込まれたＲＦＩＤタグは商品に装着される。管理者が商品を陳列棚に収納すると、読み取りユニットがＲＦＩＤタグの識別コードを読み取る。読み取られた識別コードは情報管理手段に送信され、読み取りユニットのアドレスとともに情報管理手段の記憶部に記憶される。商品が販売され陳列棚から移動されると、移動された商品の識別コードが読み取られなくなる。そのため情報管理手段は、どの商品が、いつ、どの読み取りユニットから読み取られなくなったかを判断し、情報管理手段の表示部に表示する。商品管理者は、表示を参照して、どの商品が、いつ、どの陳列棚から無くなったかを把握し、現在の在庫状況を確認することができる。
【０００５】
このようなシステムの問題点としては、商品に印刷するだけでよいバーコードに対し、ＲＦＩＤは高額（２００４年時点で数十円から数百円）であるという点がある。従って、単価の安い商品（例えば数十円程度の商品）に貼り付けて商品管理を行うことはコスト面から難しい。また、販売時に店員がＲＦＩＤを取り外し他の商品の管理用に再利用するなどといった方法が考えられるが、店員がＲＦＩＤをはずす手間がかかるため商品販売量の多いスーパーマーケットやコンビニエンスストア等でこのような運用を行うのは困難である。
【０００６】
また、顧客に商品名や価格を示すためのプライスカードとよばれるカードがある。プライスカードは、該当の商品が置かれている商品陳列棚に設置される。図８に、バーコードが装着されたプライスカードの例を示す。図８に示す例では、商品名表示部８０１に商品名「○○フーズ  ポテトチップス」が表示され、バーコード８０２に商品コード情報が印刷され、商品価格表示部８０３に価格「８０円」が表示される。店員は在庫管理や発注作業を行う際に、ハンディー端末等を用いてプライスカードに装着されたバーコード８０２を読み込む。
【０００７】
ハンディー端末等を用いてプライスカードに装着されたバーコード８０２を読み込むとともに、プライスカードおよび対象商品が置かれている商品陳列棚の位置情報をハンディ端末に入力すると、該当の商品が置かれている商品陳列棚の位置情報を管理することができる。
【０００８】
特許文献１に記載された商品管理システムにおける読み取りユニットにより得られた位置情報またはプライスカードに装着されたバーコード読み込み時にハンディ端末に入力された位置情報と、顧客が精算処理を行うＰＯＳ端末等から入手されるどの商品が何個売れたかを示す商品販売情報を組み合わせることにより、商品が陳列された位置に対応する売り上げ情報を取得することが可能になる。本情報を分析することにより、スーパーマーケットやコンビニエンスストア等の類似の店舗を複数個チェーン展開等する店舗において、どの商品をどの商品陳列棚に、または商品陳列棚のどの段に置くことが販売数を増やすために効果的であるかという情報を得ることができる。
【０００９】
プライスカードの表面にバーコードを印刷する代わりにＲＦＩＤ等を付随させることにより、バーコードの印刷が不要となるため、プライスカードを小型化することが可能になる。なお、ＲＦＩＤを「付随させる」とは、表面に付けられたり印刷されたりするだけでなく、取り付けられたり内蔵されたりする場合など、付属していることが明らかな状態を示す。このようなＲＦＩＤ等を付随させたプライスカードにて、カード自体にリライタブルシート（プリンタにて印字・消去を繰り返すことが可能で数百回の使用が可能なシート）を用いることにより、プライスカードを再利用することが可能になる。再利用により店舗側ではカード購入コストを削減することが可能になる。
【００１０】
【特許文献１】特開２００１−３１２１８号公報（段落０００６−０００７）
【発明の開示】
【発明が解決しようとする課題】
【００１１】
特許文献１に記載された方式では、ＲＦＩＤタグや周辺装置の導入コストが大きい。また、ＲＦＩＤを付随させたリライタブルシートを用いたプライスカードを作成するためには、専用のプリンタを用意する必要がある。通常のプリンタは紙に対して印刷する機能を持つが、ＲＦＩＤを付随させたリライタブルシートに印刷するプリンタは、リライタブルシートに対する印字機能に加えてＲＦＩＤに対するリーダライタ機能が必要であることから高価である。しかし、各店舗においてリライタブルシート専用のプリンタを用意することはコストの面から難しい場合が多い。
【００１２】
そこで、本発明は、小売店等において記憶部材が付随されたプライスカードを安価に導入することができるプライスカード受注装置、プライスカード発注装置、プライスカード受発注システム、プライスカード受注方法、プライスカード発注方法、プライスカード受注プログラムおよびプライスカード発注プログラムを提供することを目的とする。
【課題を解決するための手段】
【００１３】
本発明によるプライスカード受注装置は、個々の商品を特定する商品特定情報を記憶可能な記憶部材が付随され商品に関する情報を表示するプライスカードを受注してプライスカードを発行するプライスカード受注装置であって、プライスカードを発注するプライスカード発注装置から、通信ネットワークを介して、プライスカードに表示する商品に関する情報および商品特定情報を受信する情報受信手段と、個々のプライスカードを識別するＩＤ情報をプライスカード毎に割り当てるＩＤ割り当て手段と、プライスカードに付随された記憶部材に前記商品特定情報および前記ＩＤ情報を記憶させ、プライスカードに前記商品に関する情報を印字することによりプライスカードを発行するプライスカード発行手段とを備えたことを特徴とする。
【００１４】
情報受信手段が受信した商品に関する情報および商品特定情報と、ＩＤ割り当て手段によって割り当てられたＩＤ情報とを記憶する記憶手段と、納品したプライスカードに付随された記憶部材に記憶させたＩＤ情報および商品特定情報を、通信ネットワークを介してプライスカード発注装置から受信する納品済みプライスカード情報受信手段と、納品済みプライスカード情報受信手段が受信したＩＤ情報および商品特定情報と、記憶手段が記憶するＩＤ情報および商品特定情報とを照合することにより、納品したプライスカードに不良品があるか否かを判定する検品手段とを備えていてもよい。そのような構成によれば、納品したプライスカードに不良品があるか否かを確認することができる。
【００１５】
プライスカード発行手段は、検品手段によって、納品したプライスカードに不良品があると判定された場合に、記憶手段が記憶する商品に関する情報、商品特定情報、およびＩＤ情報を用いて再度プライスカードを発行してもよい。そのような構成によれば、納品したプライスカードに不良品がある場合にプライスカードを再発行することができる。
【００１６】
情報受信手段が受信した商品に関する情報および商品特定情報と、ＩＤ割り当て手段によって割り当てられたＩＤ情報とを、通信ネットワークを介してプライスカード発注装置に送信するＩＤ情報送信手段を備えていてもよい。そのような構成によれば、プライスカード発注装置またはその運用者に、納品したプライスカードに不良品があるか否かの判定を促すことができる。
【００１７】
プライスカード発行手段は、プライスカードとして使用され、印字内容の書き換えを繰り返し可能なリライタブルシートに商品に関する情報を印字してもよい。
【００１８】
プライスカード発行手段は、プライスカードに記憶部材として付随されたＲＦＩＤに商品特定情報およびＩＤ情報を記憶させてもよい。
【００１９】
本発明によるプライスカード発注装置は、個々の商品を特定可能な商品特定情報を記憶可能な記憶部材が付随され商品に関する情報を表示するプライスカードを発注するプライスカード発注装置であって、プライスカードを受注するプライスカード受注装置に、通信ネットワークを介して、プライスカードに表示する商品に関する情報および商品特定情報を送信する情報送信手段と、納品されたプライスカードに付随された記憶部材から、個々のプライスカードを識別するＩＤ情報および商品特定情報を読み取る読み取り手段と、前記読み取り手段によって読み取られたＩＤ情報および商品特定情報をプライスカード受注装置に送信する納品済みプライスカード情報送信手段とを備えたことを特徴とする。そのような構成によれば、ＩＤ情報および商品特定情報をプライスカード受注装置に送信するので、プライスカード受注装置に、納品されたプライスカードに不良品があるか否かの判定を促すことができる。
【００２０】
本発明によるプライスカード受発注システムは、個々の商品を特定する商品特定情報を記憶可能な記憶部材が付随され商品に関する情報を表示するプライスカードを受注してプライスカードを発行するプライスカード受注装置と、プライスカードを発注するプライスカード発注装置とを備えたプライスカード受発注システムであって、プライスカード発注装置は、プライスカード受注装置に、通信ネットワークを介して、プライスカードに表示する商品に関する情報および商品特定情報を送信する情報送信手段を含み、プライスカード受注装置は、商品に関する情報および商品特定情報を受信する情報受信手段と、個々のプライスカードを識別するＩＤ情報をプライスカード毎に割り当てるＩＤ割り当て手段と、プライスカードに付随された記憶部材に商品特定情報およびＩＤ情報を記憶させ、プライスカードに商品に関する情報を印字することによりプライスカードを発行するプライスカード発行手段とを含むことを特徴とする。
【００２１】
本発明によるプライスカード受注方法は、個々の商品を特定する商品特定情報を記憶可能な記憶部材が付随され商品に関する情報を表示するプライスカードを受注してプライスカードを発行するプライスカード受注方法であって、情報受信手段が、プライスカードを発注するプライスカード発注装置から、通信ネットワークを介して、プライスカードに表示する商品に関する情報および商品特定情報を受信し、ＩＤ割り当て手段が、個々のプライスカードを識別するＩＤ情報をプライスカード毎に割り当て、プライスカード発行手段が、プライスカードに付随された記憶部材に商品特定情報およびＩＤ情報を記憶させ、プライスカードに前記商品に関する情報を印字することによりプライスカードを発行することを特徴とする。
【００２２】
本発明によるプライスカード受注プログラムは、個々の商品を特定する商品特定情報を記憶可能な記憶部材が付随され商品に関する情報を表示するプライスカードを受注してプライスカードを発行するコンピュータに搭載されるプライスカード受注プログラムであって、コンピュータに、プライスカードを発注するプライスカード発注装置から、通信ネットワークを介して、プライスカードに表示する商品に関する情報および商品特定情報を受信する情報受信処理、個々のプライスカードを識別するＩＤ情報をプライスカード毎に割り当てるＩＤ割り当て処理、およびプライスカードに付随された記憶部材に商品特定情報およびＩＤ情報を記憶させ、プライスカードに商品に関する情報を印字することによりプライスカードを発行するプライスカード発行処理を実行させることを特徴とする。
【発明の効果】
【００２３】
本発明によれば、小売店等において記憶部材が付随されたプライスカードを安価に導入することができるという効果がある。その結果、店舗の利益を増加させることができる。
【発明を実施するための最良の形態】
【００２４】
実施の形態１．
以下、本発明の第１の実施の形態を図面を参照して説明する。図１は、プライスカード受発注システムにおける処理の流れを示す概念図である。センタ１００、店舗１２０、印刷業者１１０がプライスカード受発注システムを運用する。店舗１２０は、例えば複数のフランチャイズチェーン店からなるコンビニエンスストアの一店舗であり、センタ１００は、それらのフランチャイズチェーン店を総括する本部などである。
【００２５】
図１に示す例では、商品マスタの追加または変更があると、センタ１００は、店舗１２０にプライスカード作成依頼を送信する。プライスカード作成依頼を受けると、店舗１２０は、印刷業者１１０にプライスカードの発注を行う。印刷業者１１０はプライスカードを発行して店舗１２０に納入する。印刷業者１１０が店舗１２０に納入すると、店舗１２０は印刷業者１１０に検品処理を依頼する。印刷業者１１０は、不良品があった場合に店舗１２０にプライスカードを追加納入する。
【００２６】
図２は、プライスカード受発注システムの構成例を示すブロック図である。図２に示すプライスカード受発注システムは、センタ用コンピュータ１０１と、プリンタ１２１と、ストア用コンピュータ１２２と、情報読み取り部１２３と、データベース１１１と、サービス用コンピュータ１１２と、プライスカード発行機１１３とを備える。
【００２７】
センタ１００は、商品マスタの追加、変更を管理するセンタ用コンピュータ１０１を運用する。店舗１２０は、プリンタ１２１と、ストア用コンピュータ１２２と、情報読み取り部１２３とを運用する。印刷業者１１０は、データベース１１１と、サービス用コンピュータ１１２と、プライスカード発行機１１３とを運用する。
【００２８】
センタ用コンピュータ１０１と、ストア用コンピュータ１２２と、サービス用コンピュータ１１２とは、通信ネットワーク１０を介して通信可能に接続されている。通信ネットワーク１０は、例えばインターネットであるが、インターネットに限定されない。
【００２９】
センタ用コンピュータ１０１は、商品マスタを記憶する記憶装置（図示せず。）を備える情報処理装置である。センタ１００によって商品マスタの追加や変更が行われた場合、センタ用コンピュータ１０１は、ストア用コンピュータ１２２にプライスカード発注情報を送信する。プライスカード発注情報とは、プライスカードに印字する商品名および商品価格と、個々の商品を特定する商品特定情報とを含む、一つまたは複数のプライスカードに関する情報である。
【００３０】
ストア用コンピュータ１２２は、プライスカード発注プログラムに従って動作するＣＰＵ（図示せず。）と、そのプライスカード発注プログラムを記憶する記憶装置（図示せず。）と、通信ネットワーク１０とのインタフェース（図示せず。）とを備える。ＣＰＵは、サービス用コンピュータ１１２に対してプライスカード発注情報を送信する処理や、情報読み取り部１２３によって読み取られたＩＤ番号および商品特定情報をサービス用コンピュータ１１２に送信する処理等を実行する。なおＩＤ番号とは、個々のプライスカードを識別可能な情報である。
【００３１】
プリンタ１２１は、通常の紙に印刷する機能を持つプリンタである。プリンタ１２１は、納入されたプライスカードに不良品があった場合に、代替品を作成する。
【００３２】
情報読み取り部１２３は、プライスカードに付随するＲＦＩＤが記憶している情報を読み取る読み取り部（図示せず。）と、ストア用コンピュータ１２２に情報を出力する出力部（図示せず。）と、情報読み取り部１２３の各部を制御する制御部（図示せず。）とを含み、ストア用コンピュータ１２２と通信可能に接続されている。制御部は、例えば、プログラムによって処理を実行するマイクロプロセッサによって実現される。なお、情報読み取り部１２３は、リーダ・ライタ機能を有しバッテリを内蔵した携帯型のハンディ端末であってもよい。
【００３３】
サービス用コンピュータ１１２は、プライスカード受注プログラムに従って動作するＣＰＵ（図示せず。）と、プログラムを記憶する記憶装置（図示せず。）と、通信ネットワーク１０とのインタフェース（図示せず。）とを備える。ＣＰＵは、データベース１１１にプライスカード登録情報を登録する処理や、作成されたプライスカードに登録されている情報とデータベース１１１に登録されているプライスカード登録情報とを比較する検品処理等を実行する。なお、プライスカード登録情報とは、プライスカード発注情報に加えて、個々のプライスカード、すなわち個々のＲＦＩＤを識別可能なＩＤ番号を含む情報である。
【００３４】
データベース１１１は、プライスカード登録情報を記憶する記憶装置である。図２に示す例では、データベース１１１をサービス用コンピュータ１１２の外部に設けた場合を示しているが、データベース１１１をサービス用コンピュータ１１２に内蔵していてもよい。
【００３５】
プライスカード発行機１１３は、リライタブルシートへの印字機能と、ＲＦＩＤの情報を更新するためのリーダ・ライタ機能の両方を備えたプリンタ等の書き込み装置である。
【００３６】
図３は、本発明によるプライスカード受発注システムにおいて発行されるプライスカード３００の一例を示す説明図である。図３に示す例では、プライスカード３００には、商品名表示部３０１に商品名である「○○フーズ  ポテトチップス」が表示され、商品価格表示部３０３に商品価格である「８０円」が表示されている。また、プライスカード３００には、記憶手段であるＲＦＩＤ３０２が付随し、ＲＦＩＤ３０２は、例えば、商品のＪＡＮコード（商品特定情報の一例）またはＪＡＮコードに対応した商品名、商品の価格を商品情報として記憶している。なお、「付随」とは、例えばプライスカード３００に印刷されていることであるが、プライスカード３００に内蔵されていたり、貼り付けされていたりしてもよい。
【００３７】
プライスカード３００は、例えばリライタブルシートを用いた表面の印字を繰り返し書き換えることが可能なカードである。リライタブルシートとは、シートの印字内容の書き換えを繰り返すことができるシートである。リライタブルシートの材料として、例えばプラスチックが挙げられるが、プラスチックに限定されない。
【００３８】
本実施の形態において、情報受信手段は、サービス用コンピュータ１１２のＣＰＵおよびインタフェースによって実現される。ＩＤ割り当て手段は、サービス用コンピュータ１１２のＣＰＵによって実現される。プライスカード発行手段は、プライスカード発行機１１３によって実現される。記憶手段は、データベース１１１によって実現される。納品済みプライスカード情報受信手段は、サービス用コンピュータ１１２のＣＰＵおよびインタフェースによって実現される。検品手段は、サービス用コンピュータ１１２のＣＰＵによって実現される。情報送信手段および納品済みプライスカード情報送信手段は、ストア用コンピュータ１２２のＣＰＵおよびインタフェースによって実現される。読み取り手段は、情報読み取り部１２３によって実現される。記憶部材はＲＦＩＤによって実現される。また、本実施の形態では、商品名および商品価格が商品に関する情報に相当する。
【００３９】
次に、本実施の形態の動作について、図面を参照して説明する。図４は、ストア用コンピュータ１２２がプライスカード３００を発注する動作を示すフローチャートである。
【００４０】
商品マスタの追加や変更が発生した場合に、センタ用コンピュータ１０１は、ストア用コンピュータ１２２にプライスカード発注情報を送信する（ステップＳ１）。センタコンピュータ１０１はプライスカード発注情報を送信することにより、サービス用コンピュータ１１２に対するプライスカード発注をストア用コンピュータ１２２に依頼する。図５は、プライスカード発注情報の一例を示す説明図である。プライスカード発注情報とは、例えば、作成するプライスカード３００に印字する商品名５０１および商品価格５０３と、個々の商品を特定する商品特定情報５０２とを含む、一つまたは複数のプライスカードに関する情報である。図５に示す例では、商品名５０１が「○○フーズ  ポテトチップス」であり、商品特定情報５０２が「１２３４５６７８９０１２３」であり、商品価格５０３が「８０円」である。
【００４１】
ストア用コンピュータ１２２は、プライスカード発注情報を受信すると、ネットワークを介してプライスカード発注情報をサービス用コンピュータ１１２に送信する（ステップＳ２）。
【００４２】
サービス用コンピュータ１１２は、プライスカード毎にＩＤ番号を割り当て、割り当てたＩＤ番号を含むプライスカード登録情報をデータベース１１１に登録する。
【００４３】
プライスカード登録情報とは、データベース１１１に登録されるデータであり、ＩＤ番号とプライスカード発注情報とを含むデータである。図６はプライスカード登録情報の一例を示す説明図である。ＩＤ番号６００は、個々のプライスカード、すなわち個々のＲＦＩＤを識別可能な、ユニークなＩＤであり、ＲＦＩＤに記憶させるための情報である。
【００４４】
サービス用コンピュータ１１２は、プライスカード発行機１１３にプライスカード登録情報を出力する。プライスカード発行機１１３は、プライスカード登録情報に基づいて、プライスカード用媒体の商品名表示部３０１に商品名５０１を、商品価格表示部３０３に商品価格５０３を印字し、ＲＦＩＤ３０２にＩＤ番号６００および商品特定情報５０２を記憶させ、プライスカード３００を作成する。完成したプライスカード３００は、郵送等の手段により、印刷業者１１０から店舗１２０に送付される（ステップＳ３）。以下、ＲＦＩＤ３０２に記憶されたＩＤ番号６００および商品特定情報５０２を、ＲＦＩＤ記憶情報と表記する。
【００４５】
情報読み取り部１２３は、納入されたプライスカード３００のＲＦＩＤに記憶されているＲＦＩＤ記憶情報を読み取る。店舗１２０の店員が、情報読み取り部１２３をプライスカード３００に近づけると、情報読み取り部１２３の読み取り部が、プライスカード３００に付随するＲＦＩＤ３０２が記憶しているＲＦＩＤ記憶情報を読みとる。情報読み取り部１２３の制御部は、読み取り部が読み取ったＲＦＩＤ記憶情報をストア用コンピュータ１２２に送信する。ストア用コンピュータ１２２は、情報読み取り部１２３の読み取り部が読み取ったＲＦＩＤ記憶情報を、通信ネットワーク１０を介してサービス用コンピュータ１１２に送信する。サービス用コンピュータ１１２は、ストア用コンピュータ１２２によって送信されたＲＦＩＤ記憶情報と、データベース１１１に記憶しているプライスカード登録情報とを、ＩＤ番号６００をキーとして比較照合することにより、納品したプライスカードの検品処理を行う（ステップＳ４）。
【００４６】
サービス用コンピュータ１１２は、ステップＳ４における検品処理の結果に基づいて、不良品があるか否かを判別する（ステップＳ５）。検品処理（ステップＳ４）において、データベース１１１に記憶しているプライスカード登録情報のデータ数よりも、ストア用コンピュータ１２２によって送信されたＲＦＩＤ記憶情報のデータ数のほうが少ない場合や、ＩＤ番号６００は一致するが商品特定情報５０２が一致しない場合に、サービス用コンピュータ１１２は不良品があると判断する。
【００４７】
不良品がなかった場合（ＮＯ）は、サービス用コンピュータ１１２はストア用コンピュータ１２２に不良品がなかった旨の通知を行い、店舗１２０の店員がプライスカード３００を商品陳列棚に設置し（ステップＳ８）、一連の処理を終了する。
【００４８】
一方、不良品があった場合（ＹＥＳ）、サービス用コンピュータ１１２は、不良品情報を作成し、ストア用コンピュータ１２２に送信する。ここで不良品情報とは、不良品に関するデータであって、データベース１１１に記憶しているプライスカード登録情報とストア用コンピュータ１２２によって送信されたＲＦＩＤ記憶情報とを含むデータである。図７は、不良品情報の一例を示す説明図である。不良品情報は、プライスカード登録情報であるＩＤ番号６００、商品名５０１、商品特定情報５０２および商品価格５０３と、ＲＦＩＤ記憶情報であるＲＦＩＤ記憶ＩＤ番号７００（ＲＦＩＤに記憶されたＩＤ番号）およびＲＦＩＤ記憶商品特定情報７０１（ＲＦＩＤに記憶させた商品特定情報）を含む。図７に示す例では、商品特定情報５０２とＲＦＩＤ記憶商品特定情報７０１のデータが一致しない。ストア用コンピュータ１２２は、不良品情報の商品名５０１および商品価格５０３のデータをプリンタ１２１に出力する。プリンタ１２１は、代替プライスカード用媒体の商品名表示部に商品名５０１を、商品価格表示部に商品価格５０３を印字し、プライスカードの代替品を作成する（ステップＳ６）。
【００４９】
さらに、サービス用コンピュータ１１２は、不良品について新しいプライスカードを作成する。サービス用コンピュータ１１２は、ステップＳ６で作成した不良品情報を参照して、プライスカード発行機１１３にプライスカード登録情報を出力する。プライスカード発行機１１３は、プライスカード登録情報に基づいて、プライスカード用媒体の商品名表示部３０１に商品名５０１を、商品価格表示部３０３に商品価格５０３を印字し、ＲＦＩＤ３０２にＩＤ番号６００および商品特定情報５０２を記憶させ、プライスカード３００を作成する。完成した新しいプライスカード３００は、郵送等の手段により、印刷業者１１０から店舗１２０に追加納入され（ステップＳ７）、ステップＳ４に移行する。以降、ステップＳ５に示す判別処理において、不良品がない（ＮＯ）と判別されるまで、ステップＳ４からステップＳ７の処理を繰り返す。
【００５０】
以上に説明したように、第１の実施の形態によれば、各店舗において高価なリライタブルシート専用の書き込み装置であるプライスカード発行機１１３を導入することなく、ＲＦＩＤを装着したリライタブルシートを用いたプライスカードを利用することができる。また、プライスカードとしてリライタブルシートを用いることにより、プライスカードを再利用することが可能になる。例えば、店舗の商品が取り扱い対象から外れた場合は、プライスカードが不要となるため、店舗１２０は印刷業者１１０に不要になったプライスカードを返却する。印刷業者１１０がプライスカードを再利用することにより、プライスカードの単価を低く抑えることが可能になるため、店舗１２０はプライスカード導入コストを削減することができる。
【００５１】
また、印刷業者１１０はプライスカードをレンタルするという事業形態を採用してもよい。この場合は、店舗１２０は印刷業者１１０に例えば毎月レンタル料を支払う。
【００５２】
実施の形態２．
第１の実施の形態では、プライスカードの検品処理（ステップＳ４）を、サービスコンピュータ１１２が実施する場合を例にしたが、ストア用コンピュータ１２２が店舗１２０の店員に検品処理を促してもよい。第２の実施の形態では、ストア用コンピュータ１２２が店舗の担当者に検品処理を促す場合について説明する。なお、本発明の第２の実施の形態の構成は、第１の実施の形態と同様なため説明を省略する。
【００５３】
次に、図４を用いて本実施の形態における動作について説明する。ステップＳ１からステップＳ３に示す処理は、第１の実施の形態と同様なため説明を省略する。
【００５４】
ステップＳ３において、サービスコンピュータ１１２は、プライスカード登録情報をデータベース１１１に登録するとともに、データベース１１１のプライスカード登録情報をストア用コンピュータ１２２に送信する。
【００５５】
ストア用コンピュータ１２２は、サービスコンピュータ１１２によって送信されたプライスカード登録情報を、ストア用コンピュータ１２２の画面に表示する。店員は、ストア用コンピュータ１２２の画面に表示された商品名５０１および商品価格５０３を参照して、納品されたプライスカードの中から、同じ印字内容のプライスカードを探す。
【００５６】
情報読み取り部１２３が、店舗１２０の店員によってプライスカード３００に近づけられると、情報読み取り部１２３の読み取り部が、プライスカード３００に付随するＲＦＩＤ３０２が記憶しているＲＦＩＤ記憶情報を読みとる。情報読み取り部１２３の制御部は、読み取り部が読み取ったＲＦＩＤ記憶情報をストア用コンピュータ１２２に送信する。
【００５７】
ストア用コンピュータ１２２は、サービスコンピュータ１１２によって送信されたプライスカード登録情報と、情報読み取り部１２３の読み取り部が読み取ったＲＦＩＤ記憶情報とをストア用コンピュータ１２２の画面に表示する。ストア用コンピュータ１２２は、この表示処理によって店舗１２０の店員に検品を促す。店員は、ストア用コンピュータ１２２の画面に表示されたプライスカード登録情報およびＲＦＩＤ記憶情報が正しい内容か否かをチェックする（ステップＳ４）。
【００５８】
店舗１２０の店員は、検品処理の結果に基づいて、不良品があるか否かを判別する（ステップＳ５）。不良品がなかった場合（ＮＯ）は、店舗１２０の店員がプライスカード３００を商品陳列棚に設置し（ステップＳ８）、一連の処理を終了する。
【００５９】
一方、不良品（未納品も含む）があった場合（ＹＥＳ）、ストア用コンピュータ１２２は、不良品情報を作成する。ストア用コンピュータ１２２は、表示したプライスカード登録情報内のＩＤ番号６００や商品特定情報５０２が情報読み取り部１２３に読み取られたＲＦＩＤ記憶情報と異なる旨の情報を入力されることにより、表示したプライスカード登録情報に対応するプライスカードが不良品であると判定する。ここで不良品情報とは、不良品に関するデータであって、サービス用コンピュータ１１２から受信したプライスカード登録情報と情報読み取り部１２３が出力したＲＦＩＤ記憶情報とを含むデータである。また、ストア用コンピュータ１２２は、表示したプライスカード登録情報に対応するプライスカードが存在しない旨の情報を入力されることにより、表示したプライスカード登録情報に対応するプライスカードが未納品であると判定する。図７に示す例では、商品特定情報５０２とＲＦＩＤ記憶商品特定情報７０１のデータが一致しない。ストア用コンピュータ１２２は、不良品情報の商品名５０１および商品価格５０３のデータをプリンタ１２１に出力する。プリンタ１２１は、代替プライスカード用媒体の商品名表示部に商品名５０１を、商品価格表示部に商品価格５０３を印字し、プライスカードの代替品を作成する（ステップＳ６）。
【００６０】
さらに、ストア用コンピュータ１２２は、不良品情報をサービス用コンピュータ１１２に送信する。サービス用コンピュータ１１２は、不良品について新しいプライスカードを作成する。サービス用コンピュータ１１２は、ストア用コンピュータ１２２によって送信された不良品情報を参照して、プライスカード発行機１１３にプライスカード登録情報を出力する。プライスカード発行機１１３は、プライスカード登録情報に基づいて、プライスカード用媒体の商品名表示部３０１に商品名５０１を、商品価格表示部３０３に商品価格５０３を印字し、ＲＦＩＤ３０２にＩＤ番号６００および商品特定情報５０２を記憶させ、プライスカード３００を作成する。完成した新しいプライスカード３００は、郵送等の手段により、印刷業者１１０から店舗１２０に追加納入され（ステップＳ７）、ステップＳ４に移行する。以降、ステップＳ５に示す判別処理において、不良品がない（ＮＯ）と判別されるまで、ステップＳ４からステップＳ７の処理を繰り返す。
【００６１】
本実施の形態では、ＩＤ情報送信手段は、サービス用コンピュータ１１２のＣＰＵおよびインタフェースによって実現される。
【００６２】
以上に説明したように、上記の第２の実施の形態によれば、第１の実施の形態による効果と同様に、各店舗において高価なリライタブルシート専用の書き込み装置であるプライスカード発行機１１３を導入することなく、ＲＦＩＤを装着したリライタブルシートを用いたプライスカードを利用することができる。また、納入されたプライスカードの検品処理を店舗１２０のストア用コンピュータ１２２が行うため、店舗１２０の店員が検品結果と実際の不良品とを直接確認することができる。
【００６３】
なお、上記の第２の実施の形態では、ステップＳ３において、ストア用コンピュータ１２２が店舗の店員に検品を促す場合を示したが、例えば、以下に示すようにストア用コンピュータ１２２が検品処理を実行してもよい。まず、ストア用コンピュータ１２２はサービス用コンピュータ１１２から受信したプライスカード登録情報を表示して、表示された商品名５０１および商品価格５０３と同一の情報が印字されたプライスカードを店員に探させる。情報読み取り部１２３は、店員によって見つけられたプライスカードに近づけられ、そのＲＦＩＤ記憶情報を読み取り、ストア用コンピュータ１２２に送信する。ストア用コンピュータ１２２は、情報読み取り部１２３が読み取ったＲＦＩＤ記憶情報と、サービス用コンピュータ１１２から受信したプライスカード登録情報内のＩＤ番号および商品特定情報とを照合し、一致していなければ不良品であると判定し、一致していれば良品であると判定する。また、ストア用コンピュータ１２２は、表示したプライスカード登録情報に対応するプライスカードが存在しない旨の情報が入力された場合に、表示したプライスカード登録情報に対応するプライスカードが未納品であると判定する。
【００６４】
また、ステップＳ３において、店員がストア用コンピュータ１２２の画面を参照して同じ印字内容のプライスカードを探す例を示したが、ストア用コンピュータ１２２が、サービスコンピュータ１１２によって送信されたプライスカード登録情報と情報読み取り部１２３が読み取ったＲＦＩＤ記憶情報とを、ＩＤ番号をキーとして比較照合してもよい。この場合は、ストア用コンピュータ４２２は、プライスカード情報のＩＤ番号と同じＩＤ番号がＲＦＩＤ記憶情報にない場合や、ＩＤ番号以外の情報が一致しない場合に不良品と判断する。
【００６５】
なお、上記の第１の実施の形態および第２の実施の形態では、プライスカードに付随させる記憶手段としてＲＦＩＤを例示したが、ＩＣタグ等の類似の記憶手段でもよい。
【産業上の利用可能性】
【００６６】
本発明は、コンビニエンスストアやスーパーマーケット等の小売店で、新たな機器を購入することなく、記憶媒体を装着した書換可能表示媒体を用いたプライスカードを利用したプライスカード受発注システムを導入する場合に効果的に適用できる。
【図面の簡単な説明】
【００６７】
【図１】本発明によるプライスカード受発注システムの概略を示す概念図である。
【図２】本発明によるプライスカード受発注システムの構成例を示すブロック図である。
【図３】プライスカードの一例を示す説明図である。
【図４】ストア用コンピュータの発注動作を示すフローチャートである。
【図５】プライスカード発注情報の一例を示す説明図である。
【図６】プライスカード登録情報の一例を示す説明図である。
【図７】不良品情報の一例を示す説明図である。
【図８】プライスカードの一例を示す説明図である。
【符号の説明】
【００６８】
１０    通信ネットワーク
１００    センタ
１０１    センタ用コンピュータ
１１０    印刷業者
１１１    データベース
１１２    サービス用コンピュータ
１１３    プライスカード発行機
１２０    店舗
１２１    プリンタ
１２２    ストア用コンピュータ
１２３    情報読み取り部
【図１】
2006178524.tif 000003
【図２】
2006178524.tif 000004
【図３】
2006178524.tif 000005
【図４】
2006178524.tif 000006
【図５】
2006178524.tif 000007
【図６】
2006178524.tif 000008
【図７】
2006178524.tif 000009
【図８】
2006178524.tif 000010